(57)【要約】【課題】薬剤師がお薬手帳を参照して、患者が服用している薬の名前を読み取る必要がなく、かつ、お薬手帳または薬情書のいずれも撮影する必要がないようにする。【解決手段】情報抽出装置が、レセプト情報を取得するレセプト情報取得部と、前記レセプト情報から、傷病名を示す情報または投薬された薬名を示す情報の少なくともいずれかを個人毎に抽出し、それぞれ個人を示すコードと対応付ける抽出部と、を備える。【選択図】図１
2016161999.tif 000002
【特許請求の範囲】
【請求項１】
レセプト情報を取得するレセプト情報取得部と、
前記レセプト情報から、傷病名を示す情報または投薬された薬名を示す情報の少なくともいずれかを個人毎に抽出し、それぞれ個人を示すコードと対応付ける抽出部と、
を備える情報抽出装置。
【請求項２】
個人を示すコードを取得するコード取得部と、
前記コードを送信し、当該コードに対応付けられた傷病名を示す情報または投薬された薬名を示す情報の少なくともいずれかを受信する通信部と、
前記通信部が受信した情報が示す傷病名を示す情報または投薬された薬名を示す情報の少なくともいずれかを表示する表示部と、
を備える情報表示装置。
【請求項３】
情報抽出装置と、情報提供装置と、端末装置とを備え、
前記情報抽出装置は、
レセプト情報を取得するレセプト情報取得部と、
前記レセプト情報から、傷病名を示す情報または投薬された薬名を示す情報の少なくともいずれかを個人毎に抽出し、それぞれ個人を示すコードと対応付ける抽出部と、
を備え、
前記情報提供装置は、
前記抽出部が生成した、傷病名を示す情報または投薬された薬名を示す情報の少なくともいずれかと、個人を示すコードとが対応付けられた情報を記憶する記憶部と、
前記端末装置から送信される、個人を示すコードに基づいて、当該コードに対応付けられた、傷病名を示す情報または投薬された薬名を示す情報の少なくともいずれかを前記記憶部から読み出すコード対応情報取得部と、
前記コード対応情報取得部が取得した、傷病名を示す情報または投薬された薬名を示す情報の少なくともいずれかを、前記端末装置に送信するコード対応情報送信部と、
を備え、
前記端末装置は、
個人を示すコードを取得するコード取得部と、
前記コードを前記情報提供装置に送信し、当該コードに対応付けられた傷病名を示す情報または投薬された薬名を示す情報の少なくともいずれかを前記情報提供装置から受信する通信部と、
前記通信部が受信した情報が示す傷病名を示す情報または投薬された薬名を示す情報の少なくともいずれかを表示する表示部と、
を備える、
情報提供システム。
【請求項４】
情報抽出装置の情報抽出方法であって、
レセプト情報を取得するレセプト情報取得ステップと、
前記レセプト情報から、傷病名を示す情報または投薬された薬名を示す情報の少なくともいずれかを個人毎に抽出し、それぞれ個人を示すコードと対応付ける抽出ステップと、
を備える情報抽出方法。
【請求項５】
情報表示装置の情報表示方法であって、
個人を示すコードを取得するコード取得ステップと、
前記コードを送信し、当該コードに対応付けられた傷病名を示す情報または投薬された薬名を示す情報の少なくともいずれかを受信する通信ステップと、
前記通信ステップにて受信した情報が示す傷病名を示す情報または投薬された薬名を示す情報の少なくともいずれかを表示する表示ステップと、
を備える情報表示方法。
【請求項６】
コンピュータに、
レセプト情報を取得するレセプト情報取得ステップと、
前記レセプト情報から、傷病名を示す情報または投薬された薬名を示す情報の少なくともいずれかを個人毎に抽出し、それぞれ個人を示すコードと対応付ける抽出ステップと、
を実行させるためのプログラム。
【請求項７】
コンピュータに、
個人を示すコードを取得するコード取得ステップと、
前記コードを送信し、当該コードに対応付けられた傷病名を示す情報または投薬された薬名を示す情報の少なくともいずれかを受信する通信ステップと、
前記通信ステップにて受信した情報が示す傷病名を示す情報または投薬された薬名を示す情報の少なくともいずれかを表示する表示ステップと、
を実行させるためのプログラム。
【発明の詳細な説明】
【技術分野】
【０００１】
本発明は、情報抽出装置、情報表示装置、情報提供システム、情報抽出方法、情報表示方法およびプログラムに関する。
【背景技術】
【０００２】
薬には、併用すると副作用が生じる組み合わせや効果を弱める組み合わせなど、併用を避けるべき組み合わせがあり、併用禁忌薬と呼ばれている。
調剤薬局にて併用禁忌薬の提供を回避する方法の１つとしてお薬手帳を用いる方法がある。この方法では、患者が調剤薬局で薬の提供を受ける際、お薬手帳を持参して提出すると、調剤薬局側にて、提供する薬の名前等をお薬手帳に書き込み、調剤した薬を患者に渡すとともに、お薬手帳を患者に返却する。これにより、お薬手帳に薬の履歴が記載される。薬を調剤する調剤薬局の薬剤師は、お薬手帳を参照して、調剤する薬が併用禁忌薬に該当しないか確認する。
【０００３】
また、特許文献１に記載の顧客服薬管理支援システムでは、顧客名に関連付けて、顧客の服薬履歴情報と、飲み合わせ、副作用、アレルギーなどの薬剤情報とを記憶しておき、撮影手段で顧客のお薬手帳あるいは薬情書（薬剤情報提供書）を撮影して顧客名、薬剤名、処方量、用法、用量などの服薬情報を解析し、解析された顧客名から顧客の服薬履歴情報を検索し、薬剤情報を参照し、安全性を満たしていない項目があるか否かを判別し、表示する。
特許文献１では、これにより、病院や薬局に来る患者の服薬状況を素早く、正しく、正確に記録し、適切な医療行為を行うための情報を収集するための仕組みを得る、とされている。
【先行技術文献】
【特許文献】
【０００４】
【特許文献１】特開２０１４−１７４７８６号公報
【発明の概要】
【発明が解決しようとする課題】
【０００５】
お薬手帳を用いる方法では、薬剤師がお薬手帳を参照して、患者が服用している薬の名前を読み取る必要があり、時間を要する。
また、特許文献１に記載の顧客服薬管理支援システムでは、情報収集のために操作者がお薬手帳または薬情書を撮影する必要があり、操作者にとって負担となる。
【０００６】
本発明は、薬剤師がお薬手帳を参照して、患者が服用している薬の名前を読み取る必要がなく、かつ、お薬手帳または薬情書のいずれも撮影する必要がない情報抽出装置、情報表示装置、情報提供システム、情報抽出方法、情報表示方法およびプログラムを提供する。
【課題を解決するための手段】
【０００７】
本発明の第１の態様による情報抽出装置は、レセプト情報を取得するレセプト情報取得部と、前記レセプト情報から、傷病名を示す情報または投薬された薬名を示す情報の少なくともいずれかを個人毎に抽出し、それぞれ個人を示すコードと対応付ける抽出部と、を備える。
【０００８】
本発明の第２の態様による情報表示装置は、個人を示すコードを取得するコード取得部と、前記コードを送信し、当該コードに対応付けられた傷病名を示す情報または投薬された薬名を示す情報の少なくともいずれかを受信する通信部と、前記通信部が受信した情報が示す傷病名を示す情報または投薬された薬名を示す情報の少なくともいずれかを表示する表示部と、を備える。
【０００９】
本発明の第３の態様による情報提供システムは、情報抽出装置と、情報提供装置と、端末装置とを備え、前記情報抽出装置は、レセプト情報を取得するレセプト情報取得部と、前記レセプト情報から、傷病名を示す情報または投薬された薬名を示す情報の少なくともいずれかを個人毎に抽出し、それぞれ個人を示すコードと対応付ける抽出部と、を備え、前記情報提供装置は、前記抽出部が生成した、傷病名を示す情報または投薬された薬名を示す情報の少なくともいずれかと、個人を示すコードとが対応付けられた情報を記憶する記憶部と、前記端末装置から送信される、個人を示すコードに基づいて、当該コードに対応付けられた、傷病名を示す情報または投薬された薬名を示す情報の少なくともいずれかを前記記憶部から読み出すコード対応情報取得部と、前記コード対応情報取得部が取得した、傷病名を示す情報または投薬された薬名を示す情報の少なくともいずれかを、前記端末装置に送信するコード対応情報送信部と、を備え、前記端末装置は、個人を示すコードを取得するコード取得部と、前記コードを前記情報提供装置に送信し、当該コードに対応付けられた傷病名を示す情報または投薬された薬名を示す情報の少なくともいずれかを前記情報提供装置から受信する通信部と、前記通信部が受信した情報が示す傷病名を示す情報または投薬された薬名を示す情報の少なくともいずれかを表示する表示部と、を備える。
【００１０】
本発明の第４の態様による情報抽出方法は、情報抽出装置の情報抽出方法であって、レセプト情報を取得するレセプト情報取得ステップと、前記レセプト情報から、傷病名を示す情報または投薬された薬名を示す情報の少なくともいずれかを個人毎に抽出し、それぞれ個人を示すコードと対応付ける抽出ステップと、を備える。
【００１１】
本発明の第５の態様による情報表示装置の情報表示方法であって、個人を示すコードを取得するコード取得ステップと、前記コードを送信し、当該コードに対応付けられた傷病名を示す情報または投薬された薬名を示す情報の少なくともいずれかを受信する通信ステップと、前記数新ステップにて受信した情報が示す傷病名を示す情報または投薬された薬名を示す情報の少なくともいずれかを表示する表示ステップと、を備える情報表示方法。
【００１２】
本発明の第６の態様によるプログラムは、コンピュータに、レセプト情報を取得するレセプト情報取得ステップと、前記レセプト情報から、傷病名を示す情報または投薬された薬名を示す情報の少なくともいずれかを個人毎に抽出し、それぞれ個人を示すコードと対応付ける抽出ステップと、を実行させるためのプログラムである。
【００１３】
本発明の第７の態様によるプログラムは、コンピュータに、個人を示すコードを取得するコード取得ステップと、前記コードを送信し、当該コードに対応付けられた傷病名を示す情報または投薬された薬名を示す情報の少なくともいずれかを受信する通信ステップと、前記通信ステップにて受信した情報が示す傷病名を示す情報または投薬された薬名を示す情報の少なくともいずれかを表示する表示ステップと、を実行させるためのプログラムである。
【発明の効果】
【００１４】
この発明によれば、薬剤師がお薬手帳を参照して、患者が服用している薬の名前を読み取る必要がなく、かつ、お薬手帳または薬情書のいずれも撮影する必要がない。
【図面の簡単な説明】
【００１５】
【図１】本発明の一実施形態における情報提供システムの機能構成を示す概略ブロック図である。
【図２】同実施形態における情報抽出装置の機能構成を示す概略ブロック図である。
【図３】同実施形態における情報提供装置の機能構成を示す概略ブロック図である。
【図４】同実施形態における端末装置の機能構成を示す概略ブロック図である。
【図５】同実施形態における健保カードの例を示す説明図である。
【図６】同実施形態における情報抽出装置が抽出情報を生成して送信する処理手順を示すフローチャートである。
【図７】同実施形態における情報提供装置が抽出情報を蓄積する処理手順を示すフローチャートである。
【図８】同実施形態における情報提供装置がコード対応情報を取得して送信する処理を示すフローチャートである。
【図９】同実施形態における端末装置がコード対応情報を取得して表示する処理手順を示すフローチャートである。
【発明を実施するための形態】
【００１６】
以下、図面を参照して、本発明の実施の形態について説明する。図１は、本発明の一実施形態における情報提供システムの機能構成を示す概略ブロック図である。同図において、情報提供システム１は、情報抽出装置２００と、情報提供装置３００と、端末装置４００とを備える。また、情報抽出装置２００は、レセプトデータサーバ装置１００と通信を行う。
なお、情報提供システム１が備える端末装置４００の数は、同図に示す１つに限らず複数であってもよい。また、端末装置４００の配置場所は調剤薬局に限らず、病院または診療所であってもよい。
【００１７】
レセプトデータサーバ装置１００は、健康保険組合に設けられ、レセプト情報を蓄積する。ここでいうレセプト情報とは、レセプト（診療報酬明細書）に記載された情報である。ここでいうレセプトとは、健康保険の報酬額の計算に用いられる書類である。レセプトには、患者に対してどのような診断、検査、治療などの医療行為が行われ、また、どのような薬剤がどのくらい処方されたかが記載されている。また、レセプトには、患者の氏名や生年月日や保険証の記号及び番号など患者を識別する情報や、医療機関の名称など医療機関を識別する情報が記載されている。ここでいう医療機関とは、調剤薬局、病院または診療所（以下、病院等と称する）、または歯科医院など、医療提供施設である。
なお、以下では、診断、検査、治療などの医療行為と薬の調剤とを合わせて医療行為等と称する。
【００１８】
レセプトには、調剤レセプトと、医科レセプト（入院）と、医科レセプト（入院外）と、歯科レセプトとがある。
調剤レセプトは、調剤薬局が健康保険組合に提出するレセプトである。
医科レセプト（入院）は、病院等が入院患者について健康保険組合に提出するレセプトである。
医科レセプト（入院外）は、病院等が入院外患者（通院患者）について健康保険組合に提出するレセプトである。歯科レセプトは、歯科医院の健康保険組合に提出するレセプトである。調剤薬局、病院または診療所、歯科医院のいずれも月毎、かつ患者毎にレセプトを作成し、健康保険組合に提出する。
【００１９】
情報抽出装置２００は、情報提供システム１を運営する事業者が有し、レセプトデータサーバ装置１００が記憶しているレセプト情報から、調剤に関連する情報を抽出する。具体的には、情報抽出装置２００は、レセプトデータサーバ装置１００が記憶しているレセプト情報を受信し、得られたレセプト情報から、調剤が行われた日付（年月日）、傷病名、処方された薬剤の薬剤名、用量（１回の服用分の薬の量）、調剤数量（１日当たりの服用回数および服用日数）を、患者毎に抽出する。但し、情報抽出装置２００が抽出する情報はこれに限らない。たとえば、情報抽出装置２００が、調剤が行われた日付に加えてあるいは代えて、処方が行われた日付を抽出するようにしてもよい。
【００２０】
また、情報抽出装置２００は、レセプトデータサーバ装置１００が記憶しているレセプト情報から、患者を識別する情報として、保険証の記号および番号を抽出する。
また、情報抽出装置２００は、情報提供システム１独自に設定されている、患者を識別する患者識別コードを保険証の記号および番号と対応付けて予め記憶している。
患者識別コードの表現形式として色々な形式を用いることができる。例えば、患者識別コードは数字の組み合わせであってもよいし、アルファベットと数字との組み合わせであってもよい。あるいは、患者識別コードがバイナリのデータとなっていてもよい。
【００２１】
また、患者識別コードの設定方法も色々な方法を用いることができる。例えば、情報抽出装置２００が、保険証の記号および番号をハッシュ関数に代入して患者識別コードを算出するようにしてもよい。あるいは、患者識別コードが患者毎の通し番号で付されていてもよい。
後述するように患者識別コードは、患者が携帯する健保カードに記録されている。
【００２２】
そして、情報抽出装置２００は、レセプト情報から抽出した調剤に関連する情報と、患者識別コードとを対応付ける。レセプト情報が患者の氏名を含んでいるのに対し、情報抽出装置２００が生成する情報では、患者識別コードにて患者が識別される。患者の氏名とは異なり、患者識別コードを見ても、患者識別コードと患者との対応関係を知らなければ患者を特定できない点において、情報抽出装置２００は、情報の匿名化を行っている。
情報抽出装置２００は、例えばコンピュータを用いて構成される。
【００２３】
なお、レセプト情報から抽出した調剤に関連する情報と、患者識別コードとを対応付ける方法として、いろいろな方法を用いることができる。例えば、情報抽出装置２００が、患者識別コードと対応付けられたファイルを患者毎に生成し、レセプト情報から抽出した調剤に関連する情報を当該ファイルに格納することで、当該情報と患者識別コードとを対応付けるようにしてもよい。
【００２４】
あるいは、情報抽出装置２００が、患者識別コードと対応付けられたフォルダを患者毎に生成し、レセプト情報から抽出した調剤に関連する情報を当該フォルダに格納することで、当該情報と患者識別コードとを対応付けるようにしてもよい。
あるいは、情報抽出装置２００が、レセプト情報から抽出した調剤に関連する情報毎に、患者識別コードを付加するようにしてもよい。
【００２５】
ファイルまたはフォルダと患者識別コードとを対応付ける方法についても、いろいろな方法を用いることができる。例えば、情報抽出装置２００が、ファイル名またはフォルダ名を患者識別コードとしてファイルまたはフォルダを生成するようにしてもよい。あるいは、情報抽出装置２００が、ファイル内の所定の位置（例えばファイルの先頭）に患者識別コードを書き込むようにしてもよい。あるいは、情報抽出装置２００が、フォルダ内に患者識別コードを格納するファイル（例えば、ファイル名が「code」のファイル）を生成するようにしてもよい。
【００２６】
図２は、情報抽出装置２００の機能構成を示す概略ブロック図である。同図において、情報抽出装置２００は、レセプト情報取得部２１０と、抽出部２２０と、抽出情報送信部２３０とを備える。
レセプト情報取得部２１０は、レセプトデータサーバ装置１００からレセプト情報を取得する。例えば、レセプト情報取得部２１０は、情報抽出装置２００が備えるＣＰＵ（Central Processing Unit、中央処理装置）が、情報抽出装置２００が備える通信回路を制御して実現され、レセプトデータサーバ装置１００と通信を行ってレセプト情報を取得する。
【００２７】
抽出部２２０は、レセプト情報取得部２１０が取得したレセプト情報から、傷病名を示す情報または投薬された薬名を示す情報の少なくともいずれかを個人毎に抽出し、それぞれ個人を示すコードと対応付ける。
具体的には抽出部２２０は、上記のように、レセプト情報から、調剤が行われた日付（年月日）、傷病名、処方された薬剤の薬剤名、用量（１回の服用分の薬の量）、調剤数量（１日当たりの服用回数および服用日数）を、患者毎に抽出する。
【００２８】
そして、抽出部２２０は、レセプトデータサーバ装置１００が記憶しているレセプト情報から、患者を識別する情報として、保険証の記号および番号を抽出する。また、抽出部２２０は、情報提供システム１独自に設定されている、患者を識別する患者識別コードを保険証の記号および番号と対応付けて予め記憶している。
そして、抽出部２２０は、上記のように、レセプト情報から抽出した調剤に関連する情報と、レセプト情報にて示される保険証の記号および番号に対応する患者識別コードとを対応付ける。
以下では、抽出部２２０が生成した、調剤に関連する情報と患者識別コードとが対応付けられた情報を、抽出情報と称する。
抽出情報送信部２３０は、情報提供装置３００と通信を行う。特に抽出情報送信部２３０は、抽出情報を、情報提供装置３００へ送信する。
【００２９】
情報提供装置３００は、情報提供システム１の事業者が有し、抽出情報を記憶して調剤薬局や病院等に抽出情報を提供する。
情報提供装置３００は、例えばコンピュータを用いて実現される。
図３は、情報提供装置３００の機能構成を示す概略ブロック図である。同図において、情報提供装置３００は、抽出情報受信部３１０と、記憶部３２０と、コード対応情報取得部３３０と、対端末装置通信部３４０とを備える。
抽出情報受信部３１０は、抽出情報送信部２３０が送信する抽出情報を受信する。抽出情報受信部３１０は、例えば、情報提供装置３００が備える通信回路を、情報提供装置３００が備えるＣＰＵが制御することで実現される。
【００３０】
記憶部３２０は、情報提供装置３００が備える記憶デバイスを、情報提供装置３００が備えるＣＰＵが制御することで実現され、抽出部２２０が生成した抽出情報（抽出情報受信部３１０が受信した抽出情報）を記憶する。
記憶部３２０が記憶する抽出情報における、情報と患者識別コードとの対応付けについても、情報抽出装置２００における、レセプト情報から抽出した調剤に関連する情報と、患者識別コードとの対応付けと同様、いろいろな方法を用いることができる。
例えば、記憶部３２０が、患者毎に、患者識別コードと対応付けられたファイルを記憶し、当該ファイルに当該患者に関する情報が格納されていてもよい。あるいは、記憶部３２０が、患者毎に、患者識別コードと対応付けられたフォルダを記憶し、当該フォルダに当該患者に関する情報が格納されていてもよい。あるいは、記憶部３２０が記憶する情報毎に、患者識別コードが付加されていてもよい。
【００３１】
ファイルまたはフォルダと患者識別コードとを対応付ける方法についても、いろいろな方法を用いることができる。例えば、記憶部３２０が、ファイル名またはフォルダ名が患者識別コードとなっているファイルまたはフォルダを記憶するようにしてもよい。あるいは、記憶部３２０が、ファイル内の所定の位置（例えばファイルの先頭）に患者識別コードが書き込まれたファイルを記憶するようにしてもよい。あるいは、情報抽出装置２００が、患者毎のフォルダ内に患者識別コードを格納するファイルを生成するようにしてもよい。
【００３２】
対端末装置通信部３４０は、端末装置４００と通信を行う。特に、対端末装置通信部３４０は、端末装置４００が送信する患者識別コードを受信する。また、対端末装置通信部３４０は、コード対応情報送信部の例に該当し、端末装置４００から受信した患者識別コードに基づいてコード対応情報取得部３３０が取得した、当該患者に関する抽出情報を端末装置４００へ送信する。
【００３３】
以下では、抽出情報のうち、ある患者識別コードに対応する情報をコード対応情報と称する。
コード対応情報取得部３３０は、端末装置４００から送信され、対端末装置通信部３４０が受信した患者識別コードに基づいて、記憶部３２０が記憶している抽出情報のうち、当該患者識別コードに対応付けられた情報（コード対応情報）を読み出す。
【００３４】
端末装置４００は、情報表示装置の例に該当し、薬の提供を受ける患者が携帯している健保カードから患者識別コードを読出し、読み出した患者識別コードに対応するコード対応情報を表示する。
端末装置４００は、例えばタブレット型の端末装置を用いて実現され、調剤を行う薬剤師が端末装置４００を使用する。
【００３５】
図４は、端末装置４００の機能構成を示す概略ブロック図である。同図において、端末装置４００は、コード取得部４１０と、通信部４２０と、表示部４３０とを備える。
コード取得部４１０は、  個人を示すコードを取得する。具体的には、健保カードに患者識別コードが記録されており、コード取得部４１０は、当該患者識別コードを読み取る。
【００３６】
図５は、健保カードの例を示す説明図である。同図において、健保カードには、患者識別コードが二次元バーコードにて記載されている。コード取得部４１０は、この二次元バーコードを撮影して読み取ることで、患者識別コードを取得する。コード取得部４１０は、例えば、端末装置４００が備えるカメラを、端末装置４００が備えるＣＰＵが制御して構成される。
【００３７】
通信部４２０は、端末装置４００が備える通信回路を、端末装置４００が備えるＣＰＵが制御して構成され、情報提供装置３００の対端末装置通信部３４０と通信を行う。特に、通信部４２０は、患者識別コードを情報提供装置３００に送信し、当該コードに対応付けられたコード対応情報を情報提供装置３００から受信する。
【００３８】
表示部４３０は、例えば液晶パネルなどの表示画面を有し、通信部４２０が受信したコード対応情報を表示する。具体的には、表示部４３０は、通信部４２０が受信したコード対応情報に含まれる、調剤が行われた日付、傷病名、処方された薬剤の薬剤名、用量、調剤数量の情報を表示する。
【００３９】
次に、図６を参照して情報抽出装置２００の動作について説明する。
図６は、情報抽出装置２００が抽出情報を生成して送信する処理手順を示すフローチャートである。レセプトデータサーバ装置１００がレセプト情報を受信すると、情報抽出装置２００は、同図の処理を行う。
図６の処理において、レセプト情報取得部２１０は、レセプトデータサーバ装置１００が送信したレセプト情報を受信する（ステップＳ１０１）。
【００４０】
そして、抽出部２２０は、上述したように、レセプト情報取得部２１０が受信したレセプト情報に基づいて抽出情報を生成する（ステップＳ１０２）。
そして、抽出情報送信部２３０は、ステップＳ１０２で抽出部２２０が生成した抽出情報を、情報提供装置３００へ送信する（ステップＳ１０３）。
ステップＳ１０３の後、図６の処理を終了する。
【００４１】
次に、図７および図８を参照して、情報提供装置３００の動作について説明する。
図７は、情報提供装置３００が抽出情報を蓄積する処理手順を示すフローチャートである。情報提供装置３００は、情報抽出装置２００が抽出情報を送信すると同図の処理を行う。
図７の処理において、抽出情報受信部３１０は、情報抽出装置２００の抽出情報送信部２３０が送信した抽出情報を受信する（ステップＳ２０１）。
【００４２】
次に、記憶部３２０は、抽出情報受信部３１０が受信した抽出情報を記憶する（ステップＳ２０２）。その際、記憶部３２０は、患者毎に抽出情報を記憶する。具体的には、抽出情報受信部３１０が受信した抽出情報に含まれる患者識別コードと同じ患者識別コードを含む抽出情報を既に記憶している場合、記憶部３２０は、既に記憶している抽出情報に、抽出情報受信部３１０が受信した抽出情報を加える更新を行う。これにより、記憶部３２０は、患者毎に抽出情報を記憶する。
ステップＳ２０２の後、図７の処理を終了する。
【００４３】
図８は、情報提供装置３００がコード対応情報を取得して送信する処理を示すフローチャートである。情報提供装置３００は、端末装置４００が患者識別コードを送信すると同図の処理を行う。
図８の処理において、対端末装置通信部３４０は、端末装置４００が送信した患者識別コードを受信する（ステップＳ２１１）。
【００４４】
次に、コード対応情報取得部３３０は、記憶部３２０が記憶している抽出情報のうち、ステップＳ２１１で対端末装置通信部３４０が受信した患者識別コードと対応付けられている抽出情報（コード対応情報）を抽出する（ステップＳ２１２）。
そして、対端末装置通信部３４０は、ステップＳ２１２でコード対応情報取得部３３０が抽出したコード対応情報を端末装置４００へ送信する（ステップＳ２１３）。
ステップＳ２１３の後、図８の処理を終了する。
【００４５】
次に、図９を参照して端末装置４００の動作について説明する。
図９は、端末装置４００がコード対応情報を取得して表示する処理手順を示すフローチャートである。端末装置４００は、例えば、端末装置４００が備える操作入力部が、コード対応情報の表示を指示するユーザ操作を受けると同図の処理を行う。
【００４６】
図９の処理において、コード取得部４１０は、患者識別コードを取得する（ステップＳ３０１）。具体的には、上述したようにコード取得部４１０は、患者が携帯している健保カードを撮影し、当該健保カードに記載されている二次元バーコードを読み取って患者識別コードに変換する。
次に、通信部４２０は、ステップＳ３０１でコード取得部４１０が取得した患者識別コードを情報提供装置３００へ送信する（ステップＳ３０２）。
【００４７】
次に、通信部４２０は、情報提供装置３００が送信する、ステップＳ３０２で送信した患者識別コードに対応するコード対応情報を受信する（ステップＳ３０３）。
そして、表示部４３０は、ステップＳ３０３で得られたコード対応情報を表示する（ステップＳ３０４）。
ステップＳ３０４の後、図９の処理を終了する。
【００４８】
以上のように、レセプト情報取得部２１０は、レセプト情報を取得する。そして、抽出部２２０は、レセプト情報から、傷病名を示す情報または投薬された薬名を示す情報の少なくともいずれかを個人毎に抽出し、それぞれ個人を示すコードと対応付けて抽出情報を生成する。
このように、抽出部２２０は、レセプト情報に基づいて抽出情報を生成する。薬剤師は、抽出情報を見ることで、お薬手帳を参照して、患者が服用している薬の名前を読み取る必要がなく、かつ、お薬手帳または薬情書のいずれも撮影する必要がない。
【００４９】
また、抽出部２２０が生成する抽出情報には、傷病名が含まれる。この傷病名は、医師の許可が無ければ患者本人に通知することができないため、通常、お薬手帳または薬情書のいずれにも記載されていない。これに対し、情報提供システム１では、薬剤師が使用する端末装置４００に傷病名を表示することが可能であり、薬剤師は、患者本人には傷病名を秘匿したまま、薬剤師自らは傷病名を把握することができる。薬剤師が傷病名を把握することで、禁忌薬が調剤されていないか、より高精度に確認することができる。
【００５０】
なお、情報抽出装置２００、情報提供装置３００および端末装置４００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、コンパクトディスク等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５２】
１００  レセプトデータサーバ装置
１  情報提供システム
２００  情報抽出装置
２１０  レセプト情報取得部
２２０  抽出部
２３０  抽出情報送信部
３００  情報提供装置
３１０  抽出情報受信部
３２０  記憶部
３３０  コード対応情報取得部
３４０  対端末装置通信部
４００  端末装置
４１０  コード取得部
４２０  通信部
４３０  表示部
【図１】
2016161999.tif 000003
【図２】
2016161999.tif 000004
【図３】
2016161999.tif 000005
【図４】
2016161999.tif 000006
【図５】
2016161999.tif 000007
【図６】
2016161999.tif 000008
【図７】
2016161999.tif 000009
【図８】
2016161999.tif 000010
【図９】
2016161999.tif 000011